(57)【特許請求の範囲】
【請求項１】
先端に刃を有する上アームと下アームが基端で固着されてＶ字型に構成され、側壁と底板からなる断面溝型のフレームが下アームの先端に両側壁が上アームの上方まで延ばして着脱自在に固定され、押圧突起を有する操作レバーの先端に横ピンを通せるリング状溝を有する回転子が形成してあり、この回転子がピン穴を有する連結体の回転穴に回転可能に挿入されてフレームの両側壁の間に横ピンによってスイング可能に支持され、横ピンは回転子のリング状溝内に通されており、操作レバーが横ピンを軸としてスイング可能であり、かつ、回転子を軸として回転可能である爪切り器具。
【請求項２】
先端に刃を有する上アームと下アームが基端で固着されてＶ字型に構成され、側壁と底板からなる断面溝型のフレームが下アームの先端に両側壁が上アームの上方まで延ばして着脱自在に固定され、このフレームにリング状溝を有する回転子がピンを軸にしてスイング可能に取り付けてあり、先端部に回転子を収容可能な回転穴及びロックピン穴を有する操作レバーを回転子のリング状溝とロックピン穴に横ピンを通して操作レバーが回転子と一体に連結してあり、操作レバーがピンを軸としてスイング可能であり、かつ、回転子を軸として回転可能である爪切り器具。
【請求項３】
先端に刃を有する上アームと下アームが基端で固着されてＶ字型に構成され、側壁と底板からなる断面溝型のフレームが下アームの先端に両側壁が上アームの上方まで延ばして着脱自在に固定され、このフレームに対して穴を有する連結体がピンを軸にしてスイング可能に取り付けてあり、押圧部を有する操作レバーの先端に円形断面の回転子が形成してあり、この回転子が連結体の穴に回転可能に挿入されてスナップリングで固定されており、操作レバーがピンを軸としてスイング可能であり、かつ、回転子を軸として回転可能である爪切り器具。
【請求項４】
請求項１〜３のいずれかにおいて、フレームの壁の側面縁が斜めであり、下アームの基端に回転軸となる突起を有する固定具が着脱自在に取り付けてあり、収容体の基端に設けた穴にこの突起を嵌め込んで収容体が回転可能に取り付けてあり、収容体の壁の先端は斜めに形成してある爪切り器具。
【発明の詳細な説明】
【技術分野】
【０００１】
本発明は、切った爪の飛散及び詰まりを防止すると共に、溜った爪を簡単に排出でき、更に幼児の小爪に対しても適した爪切り器具に関する。
【背景技術】
【０００２】
従来、爪切り器具は、図１に示すように上下のアーム１、２が基端側で溶接で固着されてＶ字型に構成され、アーム先端には刃１ａ、２ａが上下に向き合うように形成されている。Ｖ字型を構成する上下アーム１、２はバネ作用を有し、上下アームが開く方向に付勢されている。下アーム１の付勢は縦ピン５０の頭で受けており、上アーム２の付勢は縦ピン５０の上の方で横ピンで支持されている操作レバーの押圧部６ａで受けている。上アーム２の上面には、押圧部６ａを有する操作レバー６が縦ピン５０に回転可能に取り付けてあり、押圧部６ａを上アーム２に接触させて操作レバー６を押し下げると、押圧部６ａが下降する一方で縦ピン５０は上昇する。上アーム２は押圧部６ａの下降に連動し、下アーム１は縦ピン５０の上昇に連動され、上下の刃１ａ、２ａが噛み合って爪が切断される。操作レバー６にかかる押圧力を解放すると、上下アーム１、２のバネ作用によって元の状態に復帰する。
縦ピン５０は、上下の刃の幅方向の中央部に設けており、縦ピン５０自体も軸を中心に回転可能であり、操作レバー６の表裏の切替が可能である。【０００３】
上下アームと刃との間に形成される空間を包囲するスライド式の着脱可能な収容体（図示せず）を設けて切った爪を取り込んで収容している。収容体は、上下アームから抜け落ちないように、弾性材等を用いたロック機構が設けてある。
【特許文献１】特開２００２−１７４３２号公報
【特許文献２】特開２００３−２４１３０号公報
【特許文献３】特開２００５−１５２５４９号公報
【特許文献４】特許３５５９４８７号公報
【特許文献５】特表平１１−５０７５７１号公報
【発明の開示】
【発明が解決しようとする課題】
【０００４】
従来の爪切り器具にあっては、上下の刃の中央部に縦ピンが存在し、爪の通過を妨げて刃との間で爪の詰まり又は溜りが生じるため、爪のこぼれ等により爪切り作業に問題があった。
切った爪が縦ピンによって通過を妨害されないようにするために爪切り器具の横幅を広くすると、刃の部分の幅も広くなり、幼児の爪に対応可能な小型爪切り器具の製作ができなかった。
更に、刃の幅が広いため、爪を切る際に刃が皮膚に接触し違和感又は痛みを伴う問題があった。
このため、爪を切る際に生じる違和感又は痛みを避けるため、一つの爪を分割して何度も切断しなければならず、その結果、爪の先端の円弧が崩れて多角形となり、更にヤスリで角を丸め、爪の円弧を整える必要があった。
また、切った爪の収容体を上下アームからスライドさせて切った爪を排出するものなので、開閉操作が煩雑であった。
この縦ピンが障害物となる問題を解決するため、特開２００２−１７４３２号公報、特開２００３−２４１３０号公報、特開２００５−１５２５４９号公報、特表平１１−５０７５７１号公報等に示される解決策が提案されたが、構造が複雑であり、製造コストがかかるなどの問題があった。【０００５】
本発明は、爪切り器具において、切った爪の飛散を防止すると共に切った爪の詰まりの発生を解消し、また、違和感や痛みが少なく爪を切ることができるようにするものであり、かつ、低コストで製造できるようにしたものである。また、幼児向けの小爪に対応した小型爪切り器具を提供することを目的とする。
更に、収容した爪の排出作業が簡単にできる爪切り器具を提供するものである。
【課題を解決するための手段】
【０００６】
本発明は、先端に刃を有する上アームと下アームが基端で固着されてＶ字型に構成され、側壁と底板からなる断面溝型のフレームが下アームの先端に両側壁が上アームの上方まで延ばして着脱自在に固定され、回転穴が形成してある連結体がフレーム両側壁のピン穴に横ピンを介してスイング可能に支持され、押圧突起を有する操作レバーの先端に横ピンが通れるリング状溝を有する回転子が形成してあり、この回転子は連結体の回転穴に回転可能に挿入され、回転子のリング状溝に横ピンが通されて操作レバーと回転子が一体構造となって回転可能であり、かつ、連結体を介して横ピンを軸としてスイング可能にしたものであり、従来の爪切り器具が操作レバーのスイング動作と回転動作のために必要とした縦ピンをなくしたものである。【０００７】
また、先端に刃を有する上アームと下アームが基端で固着されてＶ字型に構成され、側壁と底板からなる断面溝型のフレームが下アームの先端に両側壁が上アームの上方まで延ばして着脱自在に固定され、リング状溝を有する回転子が形成してある連結体がフレーム両側壁のピン穴に横ピンを介してスイング可能に支持され、押圧突起を有する操作レバーの先端部に軸回転子を収容可能な回転穴とロックピン穴とが形成してあり、連結体の回転子が操作レバーの回転穴に回転可能に収容され、操作レバーのロックピン穴と連結体の回転子のリング状溝に横ピンが通されて操作レバーの両端方向における位置が保持されると共に回転を可能にし、かつ、連結体を介して横ピンを軸としてスイングを可能としたものであり、従来の爪切り器具が操作レバーのスイング動作と回転動作のために必要とした縦ピンをなくしたものである。【０００８】
また、先端に刃を有する上アームと下アームが基端で固着されてＶ字型に構成され、側壁と底板からなる断面溝型のフレームが下アームの先端に両側壁が上アームの上方まで延ばして着脱自在に固定され、回転穴を形成してある連結体がフレーム両側壁のピン穴に横ピンを介してスイング可能に支持され、押圧突起を有する操作レバーの先端にスナップリング止め溝を有する回転子が形成してあり、この回転子は連結体の回転穴に回転可能に挿入され、スナップリング溝にスナップリングを嵌めて操作レバーを両端方向における位置が保持されると共に回転を可能にし、かつ、連結体を介して横ピンを軸としてスイング可能としたものであり、従来の爪切り器具が操作レバーのスイング動作と回転動作のために必要とした縦ピンをなくしたものである。
【図面の簡単な説明】
【０００９】
【図１】従来の爪切り器具の斜視図。
【図２】実施例１の爪切り器具の断面図。
【図３】実施例１の爪切り器具の組み立て分解図。
【図４】操作レバーと連結体の連結部の拡大図。
【図５】使用状態説明図。
【図６】使用状態説明図。
【図７】実施例２の断面図。
【図８】実施例３の断面図。
【符号の説明】
【００１０】
１      下アーム
１ａ    下刃
２      上アーム
２ａ    上刃
３      フレーム
３ａ    ピン穴
４      連結体
４ａ    ピン穴
４ｂ    回転穴
５      横ピン
５０    縦ピン
６      操作レバー
６ａ    押圧突起
６ｂ    リング状溝
６ｃ    回転子
６ｅ    ロックピン穴
７      収容体
７ａ    穴
８      固定ブロック
８ａ    固定用突起
８ｂ    支持用突起
【発明を実施するための最良の形態】
【００１１】
本発明を実施例の図面に基づき説明する。
実施例１
図２に示すように、下アーム１と上アーム２とが基部側で溶接接合されてＶ字形に形成され、上下アームの間には空間が形成される。上下アーム１、２の先端には円弧状の下刃１ａと上刃２ａが形成してある。
図３に示す底板３１と側壁３２からなる断面溝型のフレーム３が下アーム１の先端部に設けた穴１ｂにフレーム３の底面の突起３ｂが嵌め込まれて固定してある。上下アーム１、２の材料の弾性を利用して固定するものであり、着脱が自在である。フレーム３の両側壁の上部にはピン穴３ａが設けてあって横ピン５が設置され、この横ピン５を軸にして操作レバー６がスイング可能に取り付けてあり、梃子として作用して上アームを下アーム側に押し下げ、またフレーム３を介して下アーム１を上アーム２側に押し上げる。更に、フレーム３の側面縁３３は傾斜させてある。【００１２】
図３に示すように、操作レバー６の先端部の一側面には押圧突起６ａが形成してあり、先端には回転子６ｃが設けてある。この回転子６ｃは、円形断面であり、中間部にリング状溝６ｂが形成してある。この溝６ｂは、フレーム３に取り付けた横ピン５が嵌合するものであり、溝幅は横ピン５の直径にほぼ等しく、深さは、適宜に定めることができるが、横ピン５の半径以上とするのが好ましい。回転子６ｃは操作レバー６と一体として形成してもよく、また、別体で製作して操作レバー６の先端に適宜の手段で連結固定する。
この回転子６ｃは、連結体４の回転穴４ｂに回転可能に挿入するもので、リング状溝６ｂの位置にピン穴４ａが設けてある。組み立て時にはこの穴４ａに横ピン５が挿入されるものであり、連結体４は横ピン５を軸にしてスイング可能である。
回転子６ｃが連結体の回転穴４ｂ内において、操作レバーの使用状態と折り畳み状態の位置にロックされるように適宜のロック手段を装備すると、操作レバーの位置決めが簡単にでき便利である。
ロック手段の一例としては回転子に弾性突起を形成し、連結体側にこの弾性突起を受け入れる凹部を形成することが挙げられる。【００１３】
フレーム３、連結体４及び操作レバー６の組み立てた状態の拡大図が図４であり、相互の関係を以下に説明する。
操作レバー６の先端の回転子６ｃを連結体４の穴４ｂに差し込み、ピン穴４ａとリング状溝６ｂの位置を合わせる。下アーム１の穴１ｂにフレーム３の固定用突起３ｂが押し込まれ、フレーム３は固定されている。フレームのピン穴３ａと連結体４のピン穴４ａを位置合わせして横ピン５を差し込み、横ピン５を回転子６ｃの溝６ｂの中を通す。回転子６ｃと連結体４及びフレーム３の両壁のピン穴３ａに支持された横ピン５によって一体に連結される。
図５に示すように、連結体４は、横ピン５を軸としてスイング可能であり、操作レバー６は連結体４の内部において回転子６ｃを軸として回転可能であるので、操作レバー６は従来の爪切り器具と同様に、爪切り時には横ピン５を支点として梃子として作用することができる。操作レバー６を上アーム２に平行に折り畳む時には、図６に示すように、回転子６ｃを軸に操作レバー６を１８０度回転させて押圧突起６ａを上向きに反転させることができる。
操作レバー６の爪切り作業時の梃子作用の支点は上アーム２の上面に位置する横ピン５であり、上下の刃１ａ、２ａの間には従来の爪切り器具のように障害物となる縦ピンが存在しないので、切断された爪は空間に取り込まれる。【００１４】
図３に示すように、切った爪を収容する収容体７は、上面と両端が開放された箱体で、基端側の底面に切り込みが設けてあって弾性片７ｃが形成され、両側壁７１の端部には固定用及び収納した爪を排出するときのスイング用の穴７ａが設けてあり、この穴７ａに固定ブロック８の支持用突起８ｂが嵌合して収容体７が突起８ｂを軸にスイングする。収容体７の側壁７１の先端側は、フレーム３の傾斜縁３３に合致する逆向きの傾斜縁７２としてあり、支持用突起８ｂを軸に収容体７を開閉のためのスイング動作の際に縁同士が干渉することがない。
固定ブロック８は、図３及び図５に示すように、上下アーム１、２が溶接された基端部が差し込まれる四角形の角穴８ｄを有し、収容体７の両側壁７１の取り付け用の穴７ａに嵌合させる突起８ｂを有している。更に、底面側には切り込み溝によって弾性片８ｃが形成され、その先端には固定用突起８ａが形成してある。
この固定ブロック８の角穴８ｄには、上下アーム１、２の基端部が差し込まれ、更に、固定用突起８ａが上下アーム１、２に形成した穴１ｃに入って位置決めすると共に、弾性片８ｃの作用によってロックされて容易に抜け出さないようにしてある。【００１５】
図５は、爪切り器具の使用状態を示すものであり、爪切り作業時には、操作レバー６の押圧突起６ａを上アーム側に向けて使用する。切った爪を収容体７の空間部から排出する場合は、図６に示すように、収容体７を固定ブロック８の突起８ｂを軸にスイングさせて下側に引いて空間部を開けることで、空間部に収容された爪の排出が容易である。
操作レバー６を折り畳んで収納する場合は、操作レバー６を上アーム２に対して直角にし、回転子６ｃを軸にして１８０度回転させて図６に示すように押圧突起６ａを上アーム２と反対側に向け、横ピン５を軸に回転させて操作レバー６を上アーム２と並行にして収納状態とする。【００１６】実施例２  図７に示すように、上アーム２の上面にリング状溝６ｂを有する回転子６ｃがフレーム３に対してピン５１によってスイング可能に取り付けてあり、操作レバー６の先端部にこの回転子６ｃを収容する軸回転穴６ｄが形成してあり、回転子６ｃはこの軸回転穴６ｄに挿入され、操作レバー６の軸回転穴６ｄの内周に設けたロックピン穴６ｅとリング状溝６ｂで形成される空間に横ピン５を差し込んで回転子６ｃと操作レバー６を連結してあり、操作レバー６は回転子６ｃを軸に回転でき、ピン５１を軸としてスイング可能である。  この実施例２の爪切りは、実施例１と同様に、切断刃の中央部に従来の爪切り器具のように縦ピンが存在しないので、切った爪が飛び散る恐れが少ない。【００１７】実施例３  図８に示すように、操作レバー６の先端には円形断面の回転子６ｃが形成してあり、この回転子６ｃの先端にはスナップリング５ａを嵌め込む溝が形成してある。連結体４は、フレーム３に対してピン５１で軸支されており、ピン５１を軸にスイング可能である。連結体４には穴４ｂが形成してあり、この穴４ｂに操作レバー６の先端に形成した円形断面の回転子６ｃを差し込んでその先端を連結体４より突出させ、連結体４の先端側端面において回転子６ｃの溝にスナップリング５ａを嵌め込んで連結体４と操作レバー６を一体化してある。  操作レバー６は、回転子６ｃを軸に回転体４の穴４ｂ内を回転できると共に、ピン５１を軸としてスイング可能である。  スナップリング５ａによって操作レバー６は連結体４から抜け出すことがなく、また、スナップリング５ａをはずすことによって簡単に連結体４から操作レバー６を取り外すことができ、組み立て分解が容易である。  この実施例３の爪切りは、実施例１と同様に、切断刃の中央部に従来の爪切り器具のように縦ピンが存在しないので、切った爪が飛び散る恐れが少ない。
【産業上の利用可能性】
【００１８】
本発明は、収納空間の入口の縦ピンが排除されたので爪切り作業における切った爪の詰まり又は溜りを解消し、円滑な爪切り作業ができる。
また、縦ピンが排除されたので刃の横幅を狭くでき、小さい爪に対応した刃の幅の小さな幼児向け専用の爪切り器具の提供が可能である。
爪切り作業と爪の原形維持が容易であると共に、爪の収納空間に溜っている爪の排出が容易である。
【図１】
0004810534.tif 000002
【図２】
0004810534.tif 000003
【図３】
0004810534.tif 000004
【図４】
0004810534.tif 000005
【図５】
0004810534.tif 000006
【図６】
0004810534.tif 000007
【図７】
0004810534.tif 000008
【図８】
0004810534.tif 000009